(57)【要約】【課題】本発明は、制作の容易化、制作時間短縮、多様な種類の外装飾布の使用が可能となる装飾性の高い布張り茶箱の提供である。また、本来用途である茶葉等の収納以外の用途を付加する。【解決手段】低伸縮性の下地布を用い、木製茶箱とクッション性素材と下地布とを圧力を加えながら固定し、理想的な形を形成する。そのうえで、下地布の上から装飾性の高い布を外布として張り合わせる。また、必要に応じて木製茶箱蓋外側とクッション性素材の間に補強用板を挟み込むことで、強度を増し、椅子として利用可能となる。また木製茶箱本体底とクッション性素材の間に補強用板を取り付けて補強し、キャスターや脚を取り付けられるようにして家具性を高めつつ掃除しやすいように、また重い物を入れても移動しやすいようにできる。更に、側面に補強板を取り付けて蝶番を取り付けられるようにし、蓋の開閉を容易にして実用性を高める。【選択図】図３
2015086003.tif 000002
【特許請求の範囲】
【請求項１】
木製茶箱の外側にクッション性素材を重ねた上に伸縮性の低い下布を重ね、圧力を加えクッション性素材を圧縮させながら形状を整え、木製茶箱、クッション性素材、下布を固定し、その上から外布を張り合わせて作成する布張り茶箱
【請求項２】
木製茶箱の四隅にある余分な下地布を切り取り、テープ状の接着芯で開口部を閉じて成形した請求項１の布張り茶箱
【請求項３】
木製茶箱蓋とクッション性素材の間に補強用板を挟み込み補強し、椅子として使用できるようにした請求項１ないし請求項２の布張り茶箱
【請求項４】
木製茶箱本体底と綿素材の間に補強用板を取り付けて補強し、キャスターや脚を取り付けられるようにした請求項１ないし請求項３の布張り茶箱
【請求項５】
木製茶箱蓋側面長辺一辺とそこに合わさる木製茶箱外レール長辺一辺に補強板を取り付けて蝶番を取り付けられるようにした請求項１ないし請求項４の布張り茶箱
【発明の詳細な説明】
【技術分野】
【０００１】  本発明は、布張り茶箱を制作する際に、多様な生地の使用を可能にし、また容易に特徴的な蓋部分の膨らみを形成出来るように、下地となる布を設けた布張り茶箱制作用の茶箱に関するものである。
【背景技術】
【０００２】  お茶の葉を新鮮に保存運搬するために使われている木箱の茶箱（内部にトタン板が張られ、密閉性が高い木箱）に装飾性の高い布を張り、収納力のあるインテリアとして利用できる布張り茶箱が制作、使用されている（以下、「インテリア茶箱」（商標登録番号４９８５１３５号）または「布張り茶箱」と称する）。インテリア茶箱の特徴である美しい丸みをおびた形状（蓋の中央部に２〜５ｃｍの厚みからなだらかなカーブを描くような形状）は、木製茶箱の上にクッション性素材を敷き、その上から圧力をかけて適度な張力で生地を張ることで作り上げられる。従来から行われてきたインテリア茶箱の制作方法は、木製茶箱とクッション性素材に装飾性のある布地を直接包み、圧力を加えて成形し、固定して制作していた。
【先行技術文献】
【技術文献】
【０００３】
【技術文献１】
パイザー真澄  お部屋が華やぐ極上収納  インテリア茶箱  梧桐書院
【発明の概要】
【発明が解決しようとする課題】
【０００４】  これは次のような欠点があった。
（イ）従来のインテリア茶箱制作では、木製の茶箱の上にウレタン、キルト綿等のクッシ      ョン性素材を敷き、木製茶箱とクッション性素材を直接、装飾性の高い布で包んで      いた。
（ロ）インテリア茶箱の特徴の１つであるクッション性と中央が膨らんだ外観を実現する      ためには、強い圧力を加えてウレタン、キルト綿を圧縮した上で、均等な張力を保      った状態で装飾布地を縫い付ける必要ある。しかし、装飾性の高い布地のなかには      、織り目が複雑であって、布を張る行程において布地にシワ、模様が曲がる等の問      題が生じやすく、均等に張ることが困難であった。
（ハ）そこで、従来方法では、使用できる装飾布地の種類は、上記問題が生じにくい生地      限定され、ゆがみが目立つ種類の装飾布地や、強い圧力に耐えることが出来ない装      飾布地はインテリア茶箱制作に使用することが困難であった。
（ニ）また、均等な張力を保った状態でシワなく布張りをすることは、初心者には難しく      、制作に長時間を要した。
（ホ）大きいサイズのインテリア茶箱を作成する場合には上記問題は顕著となるので熟練      者でなければ大きいサイズのインテリア茶箱の制作は不可能であった。
（ヘ）また、元来、茶葉保管用であるので、強度の面から使用範囲は限定されていた。【０００５】  本発明の目的は、インテリア茶箱制作の容易化、時間短縮、多種多様な外装飾布地の使用が可能となるインテリア茶箱の提供である。また、多様な利用方法が可能なインテリア茶箱を提供する。
本発明は、以上のような欠点をなくすためになされたものである。
【課題を解決するための手段】
【０００６】  請求項１に記載の発明であるインテリア茶箱は、木製茶箱にクッション性素材を敷き、伸縮性の低い下地布を用いて、木製茶箱、クッション性素材を包み込み、圧力をかけながら下地布を木製茶箱端部分に固定し、その上から外装飾布地を張って制作する布張り茶箱である。【０００７】  請求項２に記載の発明であるインテリア茶箱は、木製茶箱の四隅にある余分な下地布を切り取り、テープ状の接着芯で開口部を閉じて成形した請求項１の布張り茶箱である。【０００８】  請求項３に記載の発明であるインテリア茶箱は、請求項１ないし請求項２に記載の布張り茶箱に補強として木製茶箱の蓋部分とクッション性素材の間に、補強用板（例えば、ラワンベニア板などの合板）を取り付け、強度を増して、椅子として使用できるようにした請求項１ないし請求項２の布張り茶箱である。【０００９】  請求項４に記載の発明であるインテリア茶箱は、木製茶箱本体底と綿素材の間に補強用板を取り付けて補強し、キャスターや脚を取り付けられるようにした請求項１ないし請求項３の布張り茶箱である。【００１０】  請求項５に記載の発明であるインテリア茶箱は木製茶箱蓋側面長辺一辺とそこに合わさる木製茶箱外レール長辺一辺に補強板を取り付けて蝶番を取り付けられるようにした請求項１ないし請求項４の布張り茶箱である。
【発明の効果】
【００１１】（イ）伸縮性の低い下地布（例えばコットン布など）は、丈夫で、シワが出来にくいので      強い圧力をかけて布張りを行ってもシワにならず、容易に均一な張力を保った美し      い布張りが可能となる。
（ロ）下地布が均一に張られた上から外装飾布地を張るので、外装飾布地を張る際には、      強い圧力は不要である。このことから、圧力耐性の弱い布地やシワになりやすい布      地も使用可能となる。
（ハ）下地布が均一に張られた上から外装飾布地を張るので、外装飾布地の模様合わせが      容易に可能となる。
（ニ）初心者であっても大きいサイズのインテリア茶箱を制作することが可能となる。
（ホ）木製茶箱の四隅にある余分な下地布を切り取り、テープ状の接着芯で開口部を閉じ      て成形することで容易に布のほつれを防止することができる。
（ヘ）茶箱蓋部分に補強用板を入れることで、十分な強度が保たれるので、大きいサイズ      のインテリア茶箱に収納道具としての役割のほか、椅子としての利用方法を付加す      ることができる。
（ト）茶箱本体底面に補強板を入れることで、強度が増し、キャスターや脚を取り付ける      ことが可能になり、家具性を高めつつ掃除しやすいように、また重い物を入れても      移動しやすいようにできる。
（チ）茶箱蓋側面に補強板を入れることで、強度が増し、蝶番を取り付けることができ、      蓋の開閉を容易にして実用性を高めることが出来る。
【発明の実施をするための形態】
【００１２】  以下、本発明を実施するための形態について説明する。
（イ）木製茶箱蓋部分表面（７）に、ウレタンフォーム（６）、キルト綿（５）を重ねる      。その上から下布用のコットン布（４）を被せる。
（ロ）インテリア茶箱を椅子として利用する場合は、（イ）の手順に先立ってウレタンフ      ォーム（６）と木製茶箱蓋（７）の間に補強用板としてラワンベニヤ板（１３）を      固定して補強する。
（ハ）インテリア茶箱にキャスター、脚を取り付ける場合は、（イ）の手順に先立って木      製茶箱本体底外側と綿の間に補強用板（１４）を固定して補強する。
（ニ）インテリア茶箱に蝶番を取り付ける場合は、（イ）の手順に先立って木製茶箱蓋側      面長辺一辺とそこに合わさる木製茶箱外レール長辺一辺に補強板（１５、１６）を      取り付けて補強する。
（ホ）下布用コットン布が下側になるよう蓋を裏返し、木製茶箱蓋の裏側（トタン板面）      から圧力を加える。蓋上部中央からカドにむけてなだらかな曲線が出来るように圧      力を調整しつつ、蓋部分裏側のへり部分にてコットン布をタッカーで固定する。
（ヘ）四隅にある余分な下地布を切り取り、テープ状の接着芯で開口部を閉じて成形する      。
（ト）外装飾布地（３）を裏面を上にして置き、その上に（ホ）で作った蓋を裏返して載      せ、蓋部分裏側のヘリ部分にてタッカーで固定する。
（チ）木製茶箱本体（８）側面部分にキルト綿を置き、その上から下布用のコットン布を      かぶせて置く。下布用のコットン布をたるまないように張力を加えながら本体側面      外レールの根元部分にタッカーで固定していきながら巻き、合わせ目を木製茶箱本      体側面角にてタッカーで固定する。
（リ）その後本体底面にもキルト綿（５）と下布用のコットン布（４）を巻きこんで張り      、タッカーで固定する。
（ヌ）木製茶箱本体側面にたるみなく張られた下布用コットン布の上から外装飾布地（３      ）を被せ、本体側面外レールの根元部分でタッカーで固定しながら回り、木製茶箱      本体側面角部分で合わせ目を縫い合わせて固定する。
（ル）その後茶箱本体底面も外装飾布地を巻きこんでタッカーで張り付ける。
【図面の簡単な説明】
【００１３】
【図１】本発明の一例を示すインテリア茶箱の斜視図である。
【図２】本発明請求項１ないし請求項２の一例を示す断面図である。
【図３】本発明請求項３ないし請求項５の一例を示す断面図である。
【符号の説明】
【００１４】  １  蓋体
２  本体
３  外装飾布
４  下布
５  キルト綿
６  ウレタンフォーム
７  木製茶箱蓋部分
８  木製茶箱本体部分
９  内レール
１０  外レール
１１  トタン板
１２  タッカー
１３  木製茶箱蓋面補強用板
１４  木製茶箱底面補強用板
１５  蝶番取付用蓋側面補強用板
１６  蝶番取付用木製茶箱本体側面補強用板
【図１】
2015086003.tif 000003
【図２】
2015086003.tif 000004
【図３】
2015086003.tif 000005